(57)【要約】      （修正有） 【課題】照明の角度が自由に調節でき、且つ掛けることができる携帯型省エネルギーサーチライトを提供する。【解決手段】携帯型省エネルギーサーチライトは、主に円柱形の構造となるライト本体（1）、光源（２）、ライトカバー（４）、取っ手（６）及びスタンド（１１）からなる。該取っ手（６）は、ライト本体（１）に連接しており、該光源（２）と電源装置をライト本体（１）の内部に設置している。該ライトカバーは取り外し可能でライト本体（１）に固定されており、該スタンド（１１）は、ライト本体（１）の下に回転可能で取り付けられている。また、ライト本体（１）の後端部に可動フック（１２）を備えている。スタンド（１１）と可動フック（１２）を備えることで、支持面に固定したり、角度を調整したり、適切な位置にかけたりする。【選択図】図３
0003114617.tif 000002
【実用新案登録請求の範囲】
【請求項１】
ライト本体と、光源と、ライトカバーと、取っ手と、スタンドとを有し、該ライト本体は、取っ手と連結しており、該光源と電源設備はライト本体内部に設置し、該ライトカバーは取り外し出来るようにライト本体の前端面に固定し、該スタンドはライト本体の下部に置かれている携帯型省エネルギーサーチライトにおいて、
該スタンドは、回転出来るようにライト本体と連結することを特徴とする携帯型省エネルギーサーチライト。
【請求項２】
前記スタンドは前記ライト本体とヒンジで連結しており、該ライト本体を中心に180°の円弧内で任意の位置までに回転でき、且つその場所でロックできること特徴とする請求項1に記載の携帯型省エネルギーサーチライト。
【請求項３】
前記ライト本体の内部にはソケットを設置し、前記光源はソケットに固定していることを特徴とする請求項1または請求項２に記載の携帯型省エネルギーサーチライト。
【請求項４】
前記の切換えスイッチは取っ手に設置しており、前記電源は電源コードを通って、取っ手の切換えスイッチに繋がり、更に、前記ライト本体内のソケットを介して、光源に送られることを特徴とする請求項３に記載の携帯型省エネルギーサーチライト。
【請求項５】
前記ライトの後端部には可動フックを備えていることを特徴とする請求項４に記載の携帯型省エネルギーサーチライト。
【考案の詳細な説明】
【技術分野】
【０００１】
本考案は、携帯型省エネルギーサーチライトに関し、特にライト本体、取っ手、スタンドを有する携帯型省エネルギーサーチライトに関するものである。
【背景技術】
【０００２】
携帯型サーチライトは、操作・携帯しやすいメリットがあるため、人・物の捜索や照明等に多く使われている。従来のサーチライトは、充電電池使用式又は充電式があるものの、ライト本体のスタンドの角度を自由に調節して任意の位置にロックすることができないため、多角度から照明としっかりした支えを得ることができない。それは、両手でライトを持つことができないような作業を行なう利用者、又は警察官、消防士、軍人のような危険な仕事に携わる利用者にとって非常に不便である。また、このようなライトは高所に取り付けできないため、自動車、プレジャーボートのような設備の修理作業に十分な照明光源を提供することができない。
【特許文献１】記載なし
【考案の開示】
【考案が解決しようとする課題】
【０００３】
前記の問題点に鑑み、本考案は、照明の角度が自由に調節でき、且つ掛けることができる携帯型省エネルギーサーチライトを提供する。
【課題を解決するための手段】
【０００４】
本考案の携帯型省エネルギーサーチライトは、ライト本体、光源、ライトカバー、取っ手、スタンドを備えている。該ライト本体は、取っ手と連結しており、該光源と電源設備はライト本体内部に設置している。該ライトカバーは取り外し出来るようにライト本体の前端面に固定しており、該スタンドはライト本体の下端面に設置しており、回転出来るようにライト本体と連結して一体となっている。また、該スタンドは、ヒンジを用いてライト本体と連結しているため、ライト本体を中心に180°の円弧内で任意の位置まで回転し、且つロックすることもできる。更に、該ライト本体の内部にはソケットを設置しており、該光源はソケットに固定されている。
【０００５】
更に、該取っ手には切換えスイッチが設置されており、該電源は電源コードにより切換えスイッチに繋がり、ライト本体内のソケットに介し、光源と接続する。更に、該ライトの後端部には可動フックが設けられている。
【考案の効果】
【０００６】
本考案の携帯型省エネルギーサーチライトは、スタンドを備えていることで、該スタンドの回転調整により該スタンドとライト本体との間の角度が変更され、また該スタンドの支えによりライト本体を平面上に据え置くことができるようになる。つまり、多角度又は適切な角度の照明が得られる。その角度の調整可能なスタンドを備えることにより、ライト本体は、テーブル上、床の上などのようなところにしっかり支えられ、両手で作業を取り込む利用者、警察官、消防士、軍人のような危険な勤務をしている利用者にとって特に役立つ。同時に、一般家庭での使用や修理作業にも適用している。
【０００７】
さらに、携帯型省エネルギーサーチライトの後端部に設けている可動フックにより該サーチライトを高所に掛けられるため、自動車、プレジャーボートの機器などの修理に十分な照明光源を提供することができる。つまり、本考案の携帯型省エネルギーサーチライトは、軍隊、警察、消防、建築物と船舶における重要な光源として用いられ、また、緊急救護の必需品として社会、家庭でも幅広く応用することができる。
【０００８】
本考案の目的、構造、特徴、およびその機能をより分かりやすくするために、次に実施例を用いて詳しく説明する。
【考案を実施するための最良の形態】
【０００９】
図１は、スタンドが第一位置にある本考案に係る側面図であり、図２は、スタンドが第二位置にある本考案の側面図である。図３は、本考案のライトを示す断面図である。図１〜図３に示すように、本考案の携帯型省エネルギーサーチライトには、主に円柱形の構造となるライト本体1、光源２、ライトカバー４、取っ手６及びスタンド１１からなる。該ライト本体１の内部には該光源２の他にソケット３が設けられており、該ソケット３は、ライト本体１の内部にあるランプホルダー１０に固定されている。該光源２は、省エネルギー蛍光灯７を有しており、該省エネルギー蛍光灯７はソケット３に取り外し可能で固定されている。
【００１０】
図３で示すように、本考案の携帯型省エネルギーサーチライトライトの電気は、都市の電源からライト本体１の内部の電源コード９により供給されている。該電源コード９のリード線は、取っ手６にある切換えスイッチ８を経て、ソケット３に繋がっており、該切換えスイッチ８は、省エネルギー蛍光灯７をコントロールしている。
【００１１】
使用者が省エネルギー蛍光灯７を取り替えし易いため、ライトカバー４は、取り外しができるようにライト本体１の前端面に固定している。該ライトカバー４は、ガラス、またはその他の透明な材料で作られたものである。また該ライトカバー４の一端とライト本体１の前端部は、軟質材料で作られたリング５により密封されている。
【００１２】
該取っ手６は、円柱型となり、その一端がランプ本体１に連結され、他の一端は電源コード９の導入口が設けられている。該電気コード９の近傍には可動フック１２を備えており、これにより携帯型省エネルギーサーチライトを高所に掛けて照明できるようになる。
【００１３】
該スタンド１１は、該ライト本体１の底部に設けられており、ライト本体１の支柱になっている。また、該スタンド１１は、回転可能にライト本体１と連結して、図１と図２で示すよう第一位置と第二位置の間を回転し、ロックすることができる。このようにして、携帯型省エネルギーサーチライトは、最適な照明角度を得ることができる。また、該可動フック１２は、ライトの後端部に設けられているので、ライトを高所に掛けられるようになる。
【００１４】
本考案の携帯型省エネルギーサーチライトを使用する時に、電源コード９のプラグを電源のコンセントに差し込んでから切換えスイッチ８を入れると、光源２の光が出てくる。そして、必要に応じて、スタンド１１を適切な位置まで回転してロックしたり、又は可動フック１２を使って高所にかけたりする。
【００１５】
こうして説明されてきた本考案を知ると、本考案を多数の方法で変更させることができることは明白であろう。そのような変更は本考案の意図や範囲から離れたものとは見なされず、技術を習熟した者には明白であるようないかなる修正も、実用新案登録請求の範囲に含まれている。
【００１６】
以上に述べたものは、本考案の好適な実施の形態にすぎず、本考案の実施範囲を限定するものではない。本考案の明細書に基づいて行われた変更と修飾は、すべて本考案の登録請求の範囲に含まれるものである。
【図面の簡単な説明】
【００１７】
【図１】スタンドが第一位置にある本考案の側面図である。
【図２】スタンドが第二位置にある本考案の側面図である。
【図３】本考案の縦方向断面図である。
【符号の説明】
【００１８】
１  ライト本体
２  光源
３  ソケット
４  ライトカバー
６  取っ手
７  蛍光灯
８  切換えスイッチ
９  固定フレーム
１０  ランプホルダー
１１  スタンド
１２  可動フック
【図１】
0003114617.tif 000003
【図２】
0003114617.tif 000004
【図３】
0003114617.tif 000005